(57)【要約】【課題】簡単な制御構成で濃度ムラ等の特性差を低減した画像データを出力する。【解決手段】複数個の小サイズのイメージセンサ１０，２０，３０を直線状に配置してつなぎ合わせ、大判サイズのイメージセンサＣＩＳを形成する画像読み取り装置において、隣接するイメージセンサ１０，２０のガンマ特性を用いて一方のイメージセンサ１０のガンマ特性を他方のイメージセンサ２０のガンマ特性に合わせる補正データＡＭＤを作成する補正データ作成部４１と、前記補正データ作成部４１によって作成された補正データを保持する補正データ記憶部４２と、前記補正データ作成部４１によって作成された補正データＡＭＤを用いて前記小サイズのイメージセンサ１０，２０，３０毎にガンマ補正を行う第１ないし第３のガンマ補正回路４３，４４，４５と、を備え、隣接するイメージセンサのガンマ特性をどちらか一方のガンマ特性に合わせるようにした。【選択図】図３
2008017431.tif 000002
【特許請求の範囲】
【請求項１】
複数個の小サイズのイメージセンサを直線状に配置してつなぎ合わせ、大判サイズのイメージセンサを形成する画像読み取り装置において、
隣接するイメージセンサのガンマ特性を用いて一方のイメージセンサのガンマ特性を他方のイメージセンサのガンマ特性に合わせる補正データを作成する手段と、
前記補正データを作成する手段によって作成された補正データを保持する手段と、
前記補正データを作成する手段によって作成された補正データを用いて前記小サイズのイメージセンサ毎にガンマ補正を行う手段と、
を備え、
隣接するイメージセンサのガンマ特性をどちらか一方のガンマ特性に合わせることを特徴とする画像読み取り装置。
【請求項２】
前記補正データは前記イメージセンサ毎に任意の画素数の出力値を平均した値を用いて作成されることを特徴とする請求項１記載の画像読み取り装置。 
【請求項３】
前記補正データは前記イメージセンサ毎に任意のチップ数の出力値を平均した値を用いて作成されることを特徴とする請求項１記載の画像読み取り装置。
【請求項４】
前記補正データは隣接するイメージセンサのつなぎ目付近の任意の画素数の出力値を平均した値を用いて作成されることを特徴とする請求項１記載の画像読み取り装置。
【請求項５】
前記補正データは隣接するイメージセンサのつなぎ目付近の任意のチップ数の出力値を平均した値を用いて作成されることを特徴とする請求項１記載の画像読み取り装置。
【請求項６】
前記補正データは両端を挟まれているイメージセンサの任意の画素数の出力値を平均した値と、両端のイメージセンサのつなぎ目付近の任意の画素数の出力値を平均した値を用いて作成されることを特徴とする請求項１記載の画像読み取り装置。
【請求項７】
前記補正データは両端を挟まれているイメージセンサの任意のチップ数の出力値を平均した値と、両端のイメージセンサのつなぎ目付近の任意のチップ数の出力値を平均した値を用いて作成されることを特徴とする請求項１記載の画像読み取り装置。
【請求項８】
前記補正データを保持する手段は、前記補正データの書き換えが可能であることを特徴とする請求項１記載の画像読み取り装置。
【請求項９】
請求項１ないし８のいずれか１項に記載の画像読み取り装置を備えていることを特徴とする画像形成装置。
【請求項１０】
前記補正データを作成するためのパターンチャートを前記画像読み取り装置の内部パターンを用いて作成することを特徴とする請求項９記載の画像形成装置。
【発明の詳細な説明】
【技術分野】
【０００１】
本発明は、大判サイズの用紙に対応するために、複数のイメージセンサを備えた原稿移動式の画像読み取り装置、及びこの画像読み取り装置を備えた複写機、プリンタ、ファクシミリ及びこれらの機能を複合して有するデジタル複合機等の画像形成装置に関する。
【背景技術】
【０００２】
大判用紙を用いる画像読み取り装置は、密着イメージセンサを用いた原稿移動型が主流である。大判用紙を光学系移動手段で読み取ろうとすると、原稿台が大きくなり、また光学系を移動させるキャリッジも大型になってしまうので現実的ではない。 大判用紙の画像読み取り装置の密着イメージセンサは、主走査方向の長さを少なくとも原稿幅と同じか、それ以上にする必要がある。例えばＡ０サイズの原稿を読み取るにはイメージセンサの長さが８４１ｍｍ以上必要となる。この場合、１つのイメージセンサで構成するのは、技術的に難しく、コストも高くなってしまう。 
そこで、複数の汎用性のある小型のイメージセンサを主走査方向に配列し、原稿の走査面からの反射光を各イメージセンサ上に結像し、これらのイメージセンサによって読み取り、画像信号に変換し、変換された画像信号を電気的につなぎ合わせる処理を行うことにより、走査線全体に対応する画像情報を得るようにした画像読み取り装置が知られている。このような方法を採用した画像読み取り装置は、従来から様々なタイプのものが知られている。例えば、原稿の最大幅に対応する長さを有する１本の長尺なリニアイメージセンサ及び結像素子を用いたタイプのもの、複数のリニアイメージセンサ及び結像素子を１つのライン上に結像させるように千鳥状に配列させたタイプのもの（引用文献１参照）、複数のリニアイメージセンサ及び結像素子を複数のライン上に結像させるように千鳥状に配列させたタイプのもの（引用文献２参照）、複数の縮小型イメージセンサに複数の縮小レンズで結像させるようにしたタイプのもの（引用文献３参照）も知られている。また、各受光素子に対する出力特性データを生成し、各受光素子に対するガンマ補正データを生成し、ガンマ補正データのうち、類似した特性を有するもの同士を複数のグループに分類し、グループ毎にＬＵＴを生成し、各受光素子から得られた画像データに対して、ガンマ補正を行うことによってイメージセンサにおける受光素子毎の特性差のない画像データを出力する技術（特許文献４参照）も知られている。
【特許文献１】特開平５−３３６３０１号公報
【特許文献２】特開昭５９−１０５７６２号公報
【特許文献３】特開２００４−１０４６５４号公報
【特許文献４】特開２００５−１８４６３３号公報
【発明の開示】
【発明が解決しようとする課題】
【０００３】
このように複数の汎用性のある小型のイメージセンサで構成された画像読み取り装置では、イメージセンサ毎に感度等に対する応答性や各出力チャネルの出力部のアンプやアナログ信号処理部のアナログ回路、ＡＤ変換部の特性がそれぞれ異なるため、シェーディング補正によって、白レベルや黒レベルについては各画素とも所定のレベルに補正されるが、出力特性がイメージセンサ毎に異なるため、中間調にバラツキが生じ、コピー出力時にイメージセンサ間で濃度差やムラのある画像となってしまうことがある。
【０００４】
そこで、前記引用文献４記載の発明では、前述のように類似した特性を有するもの同士を複数のグループに分類し、グループ毎にＬＵＴを生成し、各受光素子から得られた画像データに対して、ガンマ補正を行うことによってイメージセンサにおける受光素子毎の特性差のない画像データを得るようにしているが、類似した特性のイメージセンサの特定、特定されたイメージセンサのグループ分け、グループ毎のＬＵＴの作成など、処理に手間がかかるとともに、制御構成が複雑になっていた。
【０００５】
そこで、本発明が解決すべき課題は、簡単な制御構成で濃度ムラ等の特性差を低減した画像データを出力することができるようにすることにある。
【課題を解決するための手段】
【０００６】
前記課題を解決するため、第１の手段は、複数個の小サイズのイメージセンサを直線状に配置してつなぎ合わせ、大判サイズのイメージセンサを形成する画像読み取り装置において、隣接するイメージセンサのガンマ特性を用いて一方のイメージセンサのガンマ特性を他方のイメージセンサのガンマ特性に合わせる補正データを作成する手段と、前記補正データを作成する手段によって作成された補正データを保持する手段と、前記補正データを作成する手段によって作成された補正データを用いて前記小サイズのイメージセンサ毎にガンマ補正を行う手段と、を備え、隣接するイメージセンサのガンマ特性をどちらか一方のガンマ特性に合わせることを特徴とする。
【０００７】
第２の手段は、第１の手段において、前記補正データが前記イメージセンサ毎に任意の画素数の出力値を平均した値を用いて作成されることを特徴とする。 
第３の手段は、第１の手段において、前記補正データが前記イメージセンサ毎に任意のチップ数の出力値を平均した値を用いて作成されることを特徴とする。
【０００８】
第４の手段は、第１の手段において、前記補正データが隣接するイメージセンサのつなぎ目付近の任意の画素数の出力値を平均した値を用いて作成されることを特徴とする。
【０００９】
第５の手段は、第１の手段において、前記補正データが隣接するイメージセンサのつなぎ目付近の任意のチップ数の出力値を平均した値を用いて作成されることを特徴とする。
【００１０】
第６の手段は、第１の手段において、前記補正データが両端を挟まれているイメージセンサの任意の画素数の出力値を平均した値と、両端のイメージセンサのつなぎ目付近の任意の画素数の出力値を平均した値を用いて作成されることを特徴とする。
【００１１】
第７の手段は、第１の手段において、前記補正データが両端を挟まれているイメージセンサの任意のチップ数の出力値を平均した値と、両端のイメージセンサのつなぎ目付近の任意のチップ数の出力値を平均した値を用いて作成されることを特徴とする。
【００１２】
第８の手段は、第１の手段において、前記補正データを保持する手段が、前記補正データの書き換えが可能であることを特徴とする。
【００１３】
第９の手段は、第１ないし第８のいずれかの手段に係る画像読み取り装置を画像形成装置が備えていることを特徴とする。
【００１４】
第１０の手段は、第９の手段において、前記補正データを作成するためのパターンチャートを前記画像読み取り装置の内部パターンを用いて作成することを特徴とする。
【００１５】
なお、後述の実施形態では、画像読み取り装置は符号２００に、補正データを作成する手段は補正データ作成部４１に、補正データを保持する手段は補正データ記憶部４２に、ガンマ補正を行う手段は第１ないし第３のガンマ補正回路４３，４４，４５に、それぞれ対応する。
【発明の効果】
【００１６】
本発明によれば、隣接するイメージセンサのガンマ特性を用いて一方のイメージセンサのガンマ特性を他方のイメージセンサのガンマ特性に合わせる補正データを作成し、作成された補正データを用いて前記小サイズのイメージセンサ毎にガンマ補正を行い、隣接するイメージセンサのガンマ特性をどちらか一方のガンマ特性に合わせるので、簡単な制御構成で濃度ムラ等の特性差を低減した画像データを出力することができる。
【発明を実施するための最良の形態】
【００１７】
以下、図面を参照し、本発明の実施形態について説明する。
【００１８】
図１は本発明の実施形態に係る画像読み取り装置の読み取り部の概略構成を示す図、図２は図１の平面図である。本実施形態では、読み取りセンサとして汎用性のある小型イメージセンサを３個用いたＣＩＳ（密着イメージセンサ）を使用している。
【００１９】
これらの図において、原稿７の搬送方向上流側から下流側に沿って、原稿挿入センサ１、原稿搬送路を挟んで前側搬送ローラ（図では搬送ローラ：前と記す）２、レジストセンサ３、読み取り背面部材４、この読み取り背面部材４と原稿搬送路挟んで対向した位置にコンタクトガラス５、このコンタクトガラス５の背面側（コンタクトガラス５を挟んで読み取り背面部材４と対向した位置）にＣＩＳ、及び後ろ側搬送ローラ（図では搬送ローラ：後と記す）６が配置されている。ＣＩＳは図２に示すように第１ないし第３の３個のイメージセンサ１０，２０，３０（図では数字１，２，３が添え字として付記され、第１ないし第３のイメージセンサであることを示す）が１つのライン上に並んで構成され、それぞれの有効読み取り範囲が連続するように配置されている。これによりＣＩＳ１の有効読み取り範囲が設定される。原稿挿入センサ１とレジストセンサ３は前側搬送ローラ２を挟んで配置されている。
【００２０】
原稿７は図１において左側から前側搬送ローラ２に挿入される。原稿挿入センサ１が原稿を検知すると搬送モータ（図示していない）により前側搬送ローラ２、後側搬送ローラ６が回転し、ＣＩＳ１内の図示しない原稿照明用光源が点灯する。その後、レジストセンサ３により原稿７の先端を検知し、原稿７の搬送経路における位置を逐次認識する。原稿７の画像（下面）の反射光は原稿搬送に伴って順次読み取られ、後側搬送ローラ６を経て排出される。図２においては（動作を上面から見ると）原稿は下側から上側へと搬送される。
【００２１】
図３は画像読み取り装置の読み取り部の電気的構成を示すブロック図である。図３はＣＩＳ１からの有効読み取り範囲より幅狭の例えばＡ０サイズの原稿を読み取る場合の例である。このブロック図では、ＣＩＳがライン状の第１ないし第３のイメージセンサ１０，２０，３０から構成され、それぞれのイメージセンサ１０，２０，３０の後段に第１ないし第３のアナログフロントエンド（ＡＦＥ）１１、２１，３１が設けられ、さらにその後段にそれぞれ第１ないし第３のシェーディング補正部１２，２２，３２が設けられている。第１ないし第２のシェーディング補正部１２，２２，３２の後段には、ガンマ補正部４０がさらに設けられ、各イメージセンサ１０，２０，３０にガンマ補正されたデータが出力される。
【００２２】
ガンマ補正部４０は、ガンマ補正に必要なデータを作成する補正データ作成部４１と、作成された補正データを保持する補正データ記憶部（メモリ）４２と、補正データを使用して各イメージセンサ１０，２０，３０の出力信号のガンマ補正を行う第１ないし第３のガンマ補正回路４３，４４，４５から構成されている。シェーディング補正部１２，２２，３２では、イメージセンサを構成する各受光素子の感度のバラツキや光学系の周辺原稿による信号の歪みを黒レベル基準データ及び白レベル基準データに基づいて補正する。黒レベル基準データとは、光源（不図示）を消した状態で黒一色の画像を読み取ることにより得られたデータであり、白レベル基準データとは、白色基準板を読み取ることにより得られたデータである。
【００２３】
このように構成された読み取り部では、原稿７が搬入され、反射光が第１ないし第３のイメージセンサ１０，２０，３０に結像され、画像を電気信号として取り出したＣＩＳからの出力信号は、第１ないし第３のアナログフロントエンド１１，２１，３１でノイズ除去や信号増幅等を行い、その結果をアナログ／デジタル変換して後段に出力する。第１ないし第３のシェーディング補正部１２，２２，３２では、入力された画像信号に対して前述のシェーディング補正を行い、ガンマ補正部４０に出力する。ガンマ補正部４０では、ＣＰＵからなるガンマ補正データ作成部４１に後述するように予めカラーチャートを読み取らせ、第１ないし第３のイメージセンサ１０，２０，３０のそれぞれの出力に基づいてシェーディング補正データを作成し、作成した補正データは補正データ記憶部（メモリ）４２に保持される。イメージセンサ１０，２０，３０毎に設けられた第１ないし第３のガンマ補正回路４３，４４，４５は、前記第１ないし第３のシェーディング補正部１２，２２，３２からそれぞれ入力された画像データに対し、前記補正データ作成部４１によって作成されたガンマ補正データを参照してガンマ補正を実行し、補正された画像データを出力する。なお、補正データ記憶部４２を構成するメモリは書き換え可能なメモリが使用される。
【００２４】
図４はイメージセンサの出力からデジタル画像信号を得るまでの信号処理を行う図３におけるアナログフロントエンドの構成の詳細を示すブロック図である。第１ないし第３のアナログフロントエンド１１，２１，３１は全て同じ構成なので、ここでは、第１のイメージセンサ１０の出力を処理する第１のアナログフロントエンドを代表として示す。アナログフロントエンド１１は入力に対し、交流結合後の入力端子電位を規定するためのクランプ回路（ＣＬＭＰ回路）１１−１、イメージセンサの出力信号の信号成分のみを取り出すサンプルホールド回路（ＳＨ回路）１１−２、指定した増幅率でＳＨ後の信号を増幅する可変ゲインアンプ（ＶＧＡ）１１−３を備え、アナログデジタル変換回路（ＡＤＣ）１１−４を通してデジタル画像信号として出力される。ＡＧＣ回路１１−５は、１ラインのピークデータ検出を行い、ピーク値が白レベル目標値になるようにＶＧＡのゲインを調整する。なお、クランプ回路１１−１、サンプルホールド回路１１−２、ＡＧＣ回路１１−５はそれぞれターゲット＆インターフェース回路（ＴＧ＆Ｉ／Ｆ）１１−６に接続されている。ＴＧ＆Ｉ／Ｆ回路１１−６には、ＣＬＭＰＩＮ、ＳＨ、ＭＣＬＫ、ＳＣＬＫ、ＳＤ、ＣＳ、及びＳＨＧＴの各信号が入力される。
【００２５】
ガンマ補正部４０では、隣接するイメージセンサのガンマ特性を用いて、どちらか一方のガンマ特性に合わせる補正データを作成する機能と、作成した補正データを用いてイメージセンサ毎にガンマ補正を行う機能と、作成した補正データを保持する機能とを有する。図５は補正データを使って第１のイメージセンサ１０のセンサチップ１のガンマ特性を第２のイメージセンサ２０のセンサチップ２のガンマ特性に補正するときの状態を示す説明図である。補正データＡＭＤは、複数の濃度パターンで表わせられるテストチャート（図６）等を読み取ることによって得られた出力データから補正データ作成部４１において作成する。
【００２６】
この場合、補正データＡＭＤはセンサチップ１のガンマ特性をセンサチップ２のガンマ特性に合わせるための矢印で示した補正を行うデータである。補正データを作成するためにサンプルする画素又はチップは、場所、数を任意に選択することができる。この選択は、例えば図示しない操作パネル等を用いて行う。すなわち、図５では、８画素を１つのセンサチップとして構成しており、センサチップ１と２のガンマ特性が図５（ｃ）のような場合、図５（ｄ）において点線で示すセンサチップ１のガンマ特性を実線で示すセンサチップ２の特性に合わせ、センサチップ１とセンサチップ２間の読み取りデータの不連続性をなくすようにしている。なお、ここで８画素としているのは説明の上で示した一例であり、回路規模やセンサ密度に応じて任意に設定されるものである。
【００２７】
図７は画像読み取り装置において実行されるガンマ補正データ作成処理手順を示すフローチャートである。この処理手順では、まず、図６に示したテストチャートを読み取る（ステップＳ１）。次いで、任意画素又はチップの出力特性データを作成し（ステップＳ２）、さらに、そのガンマ補正データを作成する（ステップＳ３）。作成されたガンマ補正データは、補正データ記憶部（メモリ４２）に保存され（ステップＳ４）、各ガンマ補正回路４３，４４，４５で参照して使用する。
【００２８】
ステップＳ３において補正データの作成には、以下のような方法がある。  
１）イメージセンサ毎に任意の画素数の出力値を平均した値を用いて作成する。   
２）イメージセンサ毎に任意のチップ数の出力値を平均した値を用いて作成する。  
３）隣接するイメージセンサのつなぎ目付近の任意の画素数の出力値を平均した値を用いて作成する。  
４）隣接するイメージセンサのつなぎ目付近の任意のチップ数の出力値を平均した値を用いて作成する。  
５）両端を挟まれているイメージセンサの任意の画素数の出力値を平均した値と、両端のイメージセンサのつなぎ目付近の任意の画素数の出力値を平均した値を用いて作成する。６）両端を挟まれているイメージセンサの任意のチップ数の出力値を平均した値と、両端のイメージセンサのつなぎ目付近の任意のチップ数の出力値を平均した値を用いて作成する。
【００２９】
例えば、図８に示すように隣接するイメージセンサ１，２あるいは２，３のガンマ特性をどちらか一方のガンマ特性に合わせ（図８では、イメージセンサ１のガンマ特性をイメージセンサ２のガンマ特性に合わせている）、あるいは、画素単位で処理を行う場合に、図９に示すようにガンマ補正データとして隣接するイメージセンサのつなぎ目付近の任意の画素数の出力値を平均した値を用いて作成する。さらに、図１０に示すようにガンマ補正データとして両端を挟まれているイメージセンサの任意の画素数の出力値を平均した値と、両端のイメージセンサのつなぎ目付近の任意の画素数の出力値との平均値を用いて作成することもできる。なお、図８、図９及び図１０に示した図は、イメージセンサ１（１０）のガンマ特性とイメージセンサ２（２０）のガンマ特性に補正するときの原理を示すもので、特性自体は図のようものとは限らない。
【００３０】
図１１は本発明の実施形態に係る画像形成装置としての広幅デジタル複写機の概略構成を示す図である。同図において、給紙部１００の上に画像形成部２００が、更に画像形成部２００の上に読取部（スキャナ部）３００が装着され、全体としてデジタル複写機を構成している。以下、動作とともに各部の構成について述べていく。
【００３１】
まず、読取部３００の原稿台３０１上に原稿をおき、この原稿を１枚ずつ読取部３００
に給紙する。給紙された原稿は密着イメージセンサ（ＣＩＳ）３０２により画像情報が読
み取られ、画像読み取り後に排紙トレイ上に排紙される。原稿台３０１上の原稿は、図示
省略のサイドフェンスにより幅方向（搬送方向に直交する方向の端部）が揃えられ、給紙
ローラ３０３により給紙され、密着イメージセンサ３０２の下側に搬送される。原稿台３０１上には、原稿幅検知センサ及び原稿長さ検知センサが設けられている。両センサにより、原稿台３０１から送られる原稿のサイズを検知する。密着イメージセンサ３０２下の原稿はＬＥＤアレイや蛍光灯などの光源により露光され、反射光がロッドレンズアレイに通してイメージセンサ上に結像され、イメージセンサによって光電変換が行われる。原稿読み取り終了後は、原稿は搬送ローラ３０４及び排紙ローラ３０５によって排紙トレイ上に排紙される。なお、図５では、密着イメージセンサ３０２の配置は図１とは逆の配置となっているが、これらは読み取り原稿の原稿面に対向していれば、上下位置の相違は相対的な話である。
【００３２】
画像形成部２００は現像部２０１、定着部２０２、排紙部２０３を備え、密着イメージ
センサ３０２に読み取られた画像信号は画像処理され、ＬＥＤ書き込み部２０４により、
帯電器よって一様に帯電された感光体２０５上に光書き込みが行われる。この光書き込み
によって感光体２０５上に静電潜像が形成さる。静電潜像はＬＥＤ書き込み部２０４の感
光体回転方向下流側に設けられた現像器２０１によってトナー現像され、給紙部１００か
ら給送された記録用紙に対して前記トナー現像されたトナー画像が転写部２０９で転写さ
れ、分離部２１０で感光体２０５から分離された後、搬送ベルト２１１によって定着器２
０２に搬送される。記録用紙上に転写されたトナー画像は定着器２０２で転写されて、原
稿画像の複写が行われ、表面に画像が形成された記録用紙は例えば排紙部２０３の排紙センサ２１６を経て、排紙ローラ２１３によって画像形成部２００上面の排紙トレイ２０６に排出される。
【００３３】
給紙部１００は、上下２段のロール紙トレイ１０１、１０２を有している。このロール
紙トレイ１０１、１０２は、装置筐体から図の左方向に引き出し可能となっており、トレ
イを引き出した状態でロール紙のセットやジャム処理を行うように構成されている。ロー
ル紙トレイ１０１、１０２には、それぞれ２つずつロール紙をセットすることができる。
【００３４】
紙管の周囲に巻装された各ロール紙１０３〜１０６は、一対のペーパーホルダ１０７〜１
１０を介して給紙部１００にセットされる。各ロール紙に対する給紙ローラ１１１〜１１
４がロール紙近傍に配設されている。各給紙ローラ１１１〜１１４により送り出されたロ
ール紙は、トレイ前面側（図の左側）に設けられたロールカッターユニット１１５、１１
６で一定の長さに切断され、画像形成部２００へと送り込まれる。このカットされて送り
込まれたロール紙は、レジストローラ２０８にて作像タイミングとの同期を取り、感光体
２０５に導かれ、感光体２０５上に形成された画像を転写部２０９により転写され、分離
部２１０により感光体２０５から分離されて搬送ベルト２１１で定着部２０２へ導かれ、
熱的に画像を定着される。画像を定着されたロール紙は、排紙部２０３をなす排紙ローラ
２１２、２１３によって排紙される。排紙方向は分岐爪２１４により切り替えられ、画像
形成部２００上面の排紙トレイ２０６、または画像形成部２００後方の図示しない排紙ト
レイに排出される。
【００３５】
定着部２０２と排紙ローラ２１２の間、及び排紙ローラ２１２と排紙ローラ２１３の間
には、それぞれ排紙センサ２１５、２１６が設けられ、この排紙センサ２１５、２１６に
よってロール紙が排紙部２０３にあるか否かを判別できるようになっている。
【００３６】
また図示は省略するが、画像形成部２００には、排紙ローラ２１２、２１３を駆動する
駆動制御手段を備えるとともに、読取部３００には動作のスタート指示や、搬送するロー
ル紙の情報であるリピートコピーや長尺通紙情報を入力するための操作部を設けてある。
【００３７】
定着部２０２は金属管に離型層を配置した定着ローラと、金属管にゴム層と離型層を配
置した加圧ローラと、ＡＣ電力を供給するＡＣ電力供給手段からＡＣ電力が供給されて加
熱する主加熱部と、補助電源と、補助電力から供給される電力が供給されて加熱する補助
発熱部と、定着ローラに回転駆動力を与えるための電磁モータと、前記補助電源の充電電
圧を検出する電圧センサと、前記定着ローラ・加圧ローラの表面温度を検出する温度検出
手段と、電磁モータの回転駆動を定着ローラに伝達するための中継ギヤと、電磁モータか
ら中継ギヤを経由して得られる回転力を定着ローラに伝えるための定着駆動ギヤで構成されている。
【００３８】
このように画像形成装置を構成すると、画像読み取り装置で読み取り、出力される画像データに基づいて、画像を形成することができる。また、補正データを作成するためのパターンチャートは画像読み取り装置で作成する内部パターンを用いて画像形成装置で作成する。これによりパターンチャートのハードコピーは不要となる。
【００３９】
以上のように、本実施形態によれば、下記のような効果を奏する。  
１）隣接するイメージセンサのガンマ特性をどちらか一方のガンマ特性に合わせるので、隣接するイメージセンサ間で発生する出力バラツキを抑え、濃度ムラ等の特性差を低減することができる。
【００４０】
２）ガンマ補正データを作成するときにイメージセンサ毎に任意の画素数の出力値を平均した値を用いて補正データを作成するので、画素単位で処理を行うシステム構成において有効で、画素毎の出力特性のバラツキを低減することができる。
【００４１】
３）ガンマ補正データを作成するときに、イメージセンサ毎に任意のチップ数の出力値を平均した値を用いて補正データを作成するので、チップ単位で処理を行うシステム構成において有効で、チップ毎の出力特性のバラツキを低減することができる。
【００４２】
４）ガンマ補正データを作成するときに、ガンマ補正データを隣接するイメージセンサのつなぎ目付近の任意の画素数の出力値を平均した値を用いて作成するので、画素単位で処理を行うシステム構成において有効で、隣接するイメージセンサのつなぎ目に現れる出力バラツキを抑え、濃度ムラ等の特性差を低減することができる。
【００４３】
５）ガンマ補正データを作成するときに、ガンマ補正データを隣接するイメージセンサのつなぎ目付近の任意のチップ数の出力値を平均した値を用いて作成するので、チップ単位で処理を行うシステム構成において有効で、隣接するイメージセンサのつなぎ目に現れる出力バラツキを抑え、濃度ムラ等の特性差を低減することができる。
【００４４】
６）ガンマ補正データを作成するときに、両端を挟まれているイメージセンサの任意の画素数の出力値を平均した値と、両端のイメージセンサのつなぎ目付近の任意の画素数の出力値を平均した値を用いてガンマ補正データを作成するので、画素単位で処理を行うシステム構成において有効で、隣接するイメージセンサのつなぎ目に現れる出力バラツキを抑え、濃度ムラ等の特性差を低減することができる。また、補正データを作成するときに必要になるメモリ容量を抑えることができる。
【００４５】
７）ガンマ補正データを作成するときに、両端を挟まれているイメージセンサの任意のチップ数の出力値を平均した値と、両端のイメージセンサのつなぎ目付近の任意のチップ数の出力値を平均した値を用いてガンマ補正データを作成するので、チップ単位で処理を行うシステム構成において有効で、隣接するイメージセンサのつなぎ目に現れる出力バラツキを抑え、濃度ムラ等の特性差を低減することができる。また、補正データを作成するときに必要になるメモリ容量を抑えることができる。
【００４６】
８）書き換え可能なメモリに補正データを保存するので、補正データが消えてしまったときに再度、補正データ作成処理を行い、補正データを記憶させることができる。
【００４７】
９）本実施形態に係る画像形成装置によれば、付設の画像読み取り装置から読み取られ出力される画像データに基づいて、画像を形成することができる。
【００４８】
１０）補正データを作成するためのパターンチャートを画像読み取り装置で作成する内部パターンを用いて作成するので、ガンマ補正データを作成するために必要なテストチャートがなくても、ガンマ補正データを作成することができる。
【００４９】
なお、本発明は本実施形態に限定されるものではなく、特許請求の範囲に記載された本発明の要旨の範囲内において、種々の変形・変更が可能である。
【図面の簡単な説明】
【００５０】
【図１】本発明の実施形態に係る画像読み取り装置の読み取り部の概略構成を示す図である。
【図２】図１の平面図である。
【図３】画像読み取り装置の読み取り部の電気的構成を示すブロック図である。
【図４】図３におけるアナログフロントエンドの構成の詳細を示すブロック図である。
【図５】補正データを使って第１のイメージセンサのセンサチップ１のガンマ特性を第２のイメージセンサのセンサチップ２のガンマ特性に補正するときの状態を示す説明図である。
【図６】本実施形態でガンマ補正データの作成に使用されるテストチャートの一例を示す図である。
【図７】画像読み取り装置において実行されるガンマ補正データ作成処理を示すフローチャートである。
【図８】隣接するイメージセンサのガンマ特性をどちらか一方のガンマ特性に合わせて補正データを作成する場合のデータ補正原理を示す図である。
【図９】隣接するイメージセンサのつなぎ目付近の任意の画素数の出力値を平均した値を用いて補正データを作成する場合のデータ補正原理を示す図である。
【図１０】両端を挟まれているイメージセンサの任意の画素数の出力値を平均した値と、両端のイメージセンサのつなぎ目付近の任意の画素数の出力値との平均値を用いて補正データを作成する場合のデータ補正原理を示す図である。
【図１１】本実施形態に係る画像読み取り装置と広幅の画像形成装置とからなるシステムの一例を示す図である。
【符号の説明】
【００５１】
１０，２０，３０  イメージセンサ
１１，２１，３１  アナログフロントエンド（ＡＦＥ）
１２，２２，３２  シェーディング補正部
４０  ガンマ補正部
４１  補正データ作成部（ＣＰＵ）
４２  補正データ記憶部（メモリ）
４３，４４，４５  ガンマ補正回路
ＣＩＳ  密着イメージセンサ
ＡＭＤ  補正データ
【図１】
2008017431.tif 000003
【図２】
2008017431.tif 000004
【図３】
2008017431.tif 000005
【図４】
2008017431.tif 000006
【図５】
2008017431.tif 000007
【図６】
2008017431.tif 000008
【図７】
2008017431.tif 000009
【図８】
2008017431.tif 000010
【図９】
2008017431.tif 000011
【図１０】
2008017431.tif 000012
【図１１】
2008017431.tif 000013